(57)【要約】      （修正有）【課題】カメラ部が接合されたことを認識すると、自動的に本体とカメラ用のアプリケーションが起動し、また、カメラモード時にカメラ部が抜かれると、本体部のアプリケーションが自動的にモード選択画面になることにより、本体部が電源オフの場合や、カメラモード以外のアプリケーションが実行されている場合においても、カメラ部を接合・分離することが出来る画像処理システムを提供する。【解決手段】画像処理部と本体部が分離する構造を備えた画像処理システムにおいて、画像処理部と本体部を接合及び分離する際に、明示的に操作する接合・分離操作手段と、上記接合・分離操作手段には、接合・分離手段の操作に同期して、画像処理部と本体部にそれぞれ操作検出信号を出力する検出信号出力手段と、を有する。【選択図】図１
2005252798.tif 000002
【特許請求の範囲】
【請求項１】
画像処理部と本体部が分離する構造を備えた画像処理システムにおいて、
画像処理部と本体部を接合及び分離する際に、明示的に操作する接合・分離操作手段と、上記接合・分離操作手段には、接合・分離手段の操作に同期して、画像処理部と本体部にそれぞれ操作検出信号を出力する検出信号出力手段と、
を有することを特徴とする画像処理システム。
【請求項２】
画像処理部が本体部に装着された際に、上記検出信号出力手段からの信号により、本体部が動作している状態においても、本体部が自動的に画像処理部用のアプリケーションを起動し、画像処理部との接合信号端子を活性状態に切替えることを特徴とする、請求項１に記載の画像処理システム。
【請求項３】
画像処理部が本体部に装着されている際に、上記検出信号出力手段からの信号により、本体部が画像処理部用のアプリケーションで動作している状態においても、本体部のアプリケーションを、モード選択画面に自動的に切替えると同時に、画像処理部との接合信号端子を不活性状態に切替えることを特徴とする、請求項１に記載の画像処理システム。
【請求項４】
画像処理部が本体部に装着されている際に、上記検出信号出力手段からの信号により、画像処理部は分離に備え各機能を停止することで、本体部と画像処理部が安全に分離する事が出来ることを特徴とする、請求項１に記載の画像処理システム。
【請求項５】
本体部には、キーＳＷやデジタイザ等の機能指示手段を持ち、上記画像処理部固有の情報の内容により、本体部は画像処理部に対する機能指示を変更する事が出来る、請求項１に記載の画像処理システム。
【発明の詳細な説明】
【技術分野】
【０００１】
本発明は、カメラ部と本体部が分離する構造を持つ、デジタルカメラ機能を有する画像処理システムにおいて、デジタルカメラ部を本体部に装着した際の制御方法及び装置に関するものである。
【背景技術】
【０００２】
図９は、従来の画像処理装置を適用可能な画像処理システム、いわゆる一体型のデジタルカメラの構成を説明するブロック図である。
【０００３】
図９において、９０１はレンズ群であり、固定焦点のレンズ群であってもいいし、所定倍率のズームレンズ群で構成される場合であってもよい。
【０００４】
９０２はＣＣＤに代表される撮像素子であり、画素数は解像度に依存して決定されるものとする。９０３はＣＣＤコントロール部であり、ＣＣＤ９０２に転送クロックおよび各種制御信号を供給するタイミングジェネレータ（ＴＧ回路）とともに、ＣＣＤ９０２からの画像信号に対し、ノイズ除去およびゲイン調整処理を行うＣＤＳ／ＡＧＣ回路、およびアナログ画像信号を１０ｂｉｔもしくは１２ｂｉｔデジタル信号に変換するＡ／Ｄコンバータ回路などを具備する。このＣＣＤコントロール部９０３からは、ＣＣＤ９０２から入力されたアナログ信号を、ＣＤＳ／ＡＧＣ回路で加工し、Ａ／Ｄコンバータ回路でデジタル化した画像データが、１秒間に３０画面（フレーム）というタイミングで常に出力される。上記ＣＤＳ／ＡＧＣ回路及びＴＧ回路は、デジタルカメラ機能ＩＣ９０４から出力される同期シリアル通信によって制御されるものがほとんどである。
【０００５】
９０４はデジタルカメラ機能ＩＣであり、ＣＣＤコントロール部９０３からの画像データに、ホワイトバランス調整およびシャッタスピードおよび露出制御等の画像処理を行い、Ｙ・Ｃｂ・Ｃｒフォーマットのデジタル信号に変換し、ＪＰＥＧに代表される圧縮処理を行い、撮影画像をストレージ手段であるＣＦカード９０７に格納する。デジタルカメラ機能ＩＣ９０４には、上記処理を行うために必要となるワークエリア用のメモリであるワークメモリ９０５と、ストレージ手段であるＣＦカードと、シャッタＳＷやモード切替えＳＷ等のキーＳＷ群９０８が接続している。また、多くの場合、デジタルカメラ機能ＩＣ９０４の表示のための出力はＮＴＳＣであり、その信号を表示手段である表示装置９０９に出力するためにＮＴＳＣ出力ＩＣ９０８が接続されている。９１０は、デジタルカメラ機能ＩＣ９０４のプログラムが格納されているＦｌａｓｈメモリやマスクメモリ等からなるプログラムメモリである。９１１はレンズ群９０１のフォーカス制御やズーム制御を行うレンズ駆動モータ部である。
【０００６】
次に、デジタルカメラ機能ＩＣの表示信号の出力について説明する。
【０００７】
通常、ファインダーモードと呼ばれる、キーＳＷ群９０６内のシャッタＳＷを押下せず、表示装置９０９上に画像を表示するだけのモードにおける内部動作について説明する。静止画撮影モードもしくは動画撮影モードにおいて、デジタルカメラ機能ＩＣ９０４がＣＣＤコントロール部９０３に対し、ファインダー動作を設定する為のデータを同期シリアル通信で出力する。上記データを受けたＣＣＤコントロール部９０３はＣＣＤ９０２に対し、ファインダーモードに対応した各種制御クロックを出力する。この状態において、カメラレンズ９０１から取り込まれた被写体の光情報は、デジタルカメラ機能ＩＣ９０４からタイミングジェネレータ（ＴＧ）を通して出力される各種制御クロックで、ＣＣＤ９０２によって電気信号に変換される。ＣＣＤ９０２から出力される電気信号は、ＣＣＤコントロール部９０３のＣＤＳ／ＡＧＣ＆ＡＤ回路を通してデジタル信号に変換され、デジタルカメラ機能ＩＣ９０４に入力される。デジタルカメラ機能ＩＣ９０４の内部では、１秒間に３０画面（フレーム）というタイミングで入力された画像のデジタル信号から、ＡＥ・ＡＦ・ＡＷＢ等の各処理用のパラメータを演算し、新しいパラメータをデジタルカメラ機能ＩＣ９０４内部のレジスタに再設定したり、ＣＣＤコントロール部９０３に送り返したり、レンズ駆動モータ部９１１を制御することを繰り返すことで、画像を撮影する為の最適な状態に設定する。また、デジタルカメラ機能ＩＣ９０４は、入力画像を表示するために必要な画素サイズに縮小し、ワークメモリ９０５上の表示メモリエリアに表示データを書き込むと、画像表示部が書き込まれた画像データを表示画像データとして出力する。この表示画像データは、デジタル出力を備えたデジタルカメラ機能ＩＣにおいて通常１ドットあたり１３．５ＭＨｚ、一画面約６４０×４８０ドットで秒３０フレーム、データの形式はＹＣｂＣｒの４：２：２で出力される。しかしながら通常のデジタルカメラにおける表示手段は、ＮＴＳＣ方式が主流であるため、ほとんどのデジタルカメラ機能ＩＣはデジタル出力だけでなく、ＮＴＳＣ信号で画像データを表示できるように構成されている。ＮＴＳＣ信号の場合、本来ならば一画面約７２０×４８０で秒３０フレームの画像を、ＥＶＥＮフレームとＯＤＤフレームに分けて約７２０×２４０ドットで秒６０フレームとして出力する。ＮＴＳＣ出力ＩＣ９０８は、このＮＴＳＣ信号を入力し、表示装置９０９上に画像を表示させる為の信号を出力することで、表示装置９０９上に画像を表示することができる。
【０００８】
次に、静止画記録時の各制御ＩＣの動作について説明する。
【０００９】
静止画撮影モードでシャッターＳＷが押されると、デジタルカメラ機能ＩＣ９０４はファインダー動作を停止し、ＣＣＤコントロール部９０３に対し、ＣＣＤの全画素を取り込むモードを指示する為のデータを同期シリアル通信で転送する。通常、ファインダー動作時に出力される画像データは、ＣＣＤコントロール部９０３において、ＣＣＤ９０２から出力される画像データを、垂直方向を１／４程度に間引くような制御を行っているが、全画素取り込み時には、いくつかのフレームに分けて、ＣＣＤ９０２すべての画素データを出力するような制御を行う。この出力された全画素データは、ＣＣＤコントロール部９０３でアナログレベルの調整をされ、デジタルカメラ機能ＩＣ９０４に入力される。デジタルカメラ機能ＩＣ９０４では、ワークメモリ９０５上に全画素分のデータを展開した後、各種画像処理を行った後、ＪＰＥＧ処理部においてＪＰＥＧ圧縮とＪＰＥＧ圧縮ファイルのワークメモリ９０５への書き込みを行い、その後同じ圧縮データをワークメモリ９０５から読み出し、ＣＦカード９０７に格納する。デジタルカメラ機能ＩＣ９０４は、ＣＦカード９０７への書き込み完了後、再びファインダーモードに復帰する。
【００１０】
次に、動画記録時の各制御ＩＣの動作について説明する。
【００１１】
今までのデジタルカメラにおける動画撮影は、いわゆるモーションＪＰＥＧと呼ばれる方式が主流となっている。
【００１２】
動画記録モードでシャッターＳＷが押されると、上記表示信号の出力で説明したファインダーモードにおけるデータの流れと同様に、デジタルカメラ機能ＩＣ９０４に入力された画像データは、表示画像データとして表示メモリエリアに書き込まれる。静止画撮影時には、ワークメモリ９０５上に全画素分のデータに対してＪＰＥＧ圧縮処理を行ったが、モーションＪＰＥＧ処理時においては、上記表示メモリエリアに書き込まれた表示画像データに対してＪＰＥＧ処理を行う。デジタルカメラ機能ＩＣ９０４内部にあるＪＰＥＧ処理部において、表示画像データをＪＰＥＧファイル化し、ワークメモリ９０５内に一時的に記録された後、ＣＦカード９０７に転送する。この処理をシャッターＳＷが押されている間に連続して行われるが、ＣＦカード９０７への転送速度には制限があるので、画像サイズはＶＧＡ（６４０×４８０）以下、フレームレートは１５ｆｐｓ以下という条件下において、連続撮影時間は１５秒というような仕様に限定されている。
【００１３】
ここまで、従来の一体型デジタルカメラについて説明をしたが、カメラ部と本体部が分離した構成の分離型デジタルカメラは、破線部９１２で分離するものがほとんどである。この場合、ＣＣＤコントロール部９０３とデジタルカメラ機能ＩＣ９０４の間の信号線は、ＣＣＤコントロール部９０３を制御する同期シリアル通信用の信号と、若干のタイミング制御用信号、及びＣＣＤコントロール部からパラレル出力されるデジタル画像データになる。操作者が、カメラ部を本体部に装着し、電源ＳＷを入力すると、デジタルカメラ機能ＩＣ９０４は画像撮影の為のイニシャル処理をはじめる。イニシャル処理終了後、表示装置９０９に画像撮影モード、画像再生モード、システム設定モード等の、モード選択画面を表示する。操作者は、その中からキーＳＷ９０６を使用して画像撮影モードを選択し、モード設定の為のキーＳＷ９０６を押下すると、デジタルカメラ機能ＩＣ９０４はカメラモード切替え処理を行った後、表示装置９０９にファインダー表示を行い、やっと撮影可能な状態になる。
【００１４】
また、表示部分のみを分離した構成で、表示手段を装着していない場合は赤外線通信で、装着している場合にはコネクタを介した電気信号によって、表示内容を制御するというデジタルカメラも存在する。この場合、破線部９１３で表示装置９０９と本体部が分離され、表示装置９０９が本体とはなれている際には、デジタルカメラ機能ＩＣ９０４は赤外線出力ＩＣ９１４から出力される赤外線で、表示装置９０９に表示信号を出力する。表示装置９０９が本体部に装着されると、装着検出手段９１５が装着検出信号をデジタルカメラ機能ＩＣ９０４に出力する。装着検出信号が入力されたデジタルカメラ機能ＩＣ９０４は、それまで赤外線出力ＩＣ９１４から表示信号を出力していたものを停止し、ＮＴＳＣ出力ＩＣ９０８からの電気信号による表示信号を出力する。このようなケースにおいて、接続するしないにかかわらず、表示する内容やアプリケーションは同じであり、単に制御信号の出力手段を変更するのみである。
【００１５】
また、近年のインターネットの普及に伴い、パーソナルコンピュータ（ＰＣ）に接続ＵＳＢやＩＥＥＥ１３９４で接続できるＣＣＤカメラや、ＰＤＡにＣＦカードインターフェイス経由で接続できるカメラモジュールが一般的になりつつある。これらのカメラは、ＱＣＩＦサイズ（１７６×１４４）から多くてもＶＧＡサイズ（６４０×４８０）までのＣＣＤを搭載するものがほとんどで、主な目的は、インターネットを利用したネットミーティング的なものや、ＷＥＢ掲載用の簡単な画像記録用としての利用である。これらは、ＰＣ上で特定のアプリケーションを起動すると、カメラモジュールが接続されていれば、アプリケーションウインドウ上に撮影画像が表示され、カメラモジュールが接続されていない場合は、「カメラが接続されていません」と言うメッセージをアプリケーションウインドウ上に表示するのみである。
【特許文献１】特開平１１−３０８５０９号公報
【発明の開示】
【発明が解決しようとする課題】
【００１６】
しかしながら、このようなカメラ部と本体部が分離している従来の画像処理システムにおいて、本体部にカメラ部を装着し、カメラによる撮影可能な状態になるまでには、必ずモード選択とアプリケーション切替処理が発生し、小さなキーＳＷを何回も操作しなければならず、誤操作も少なくなかった。
【００１７】
また、カメラアプリケーション実行時にカメラ部を抜かれると、デジタルカメラ機能ＩＣの入力ポートが不安定な状態になり、アプリケーションが暴走してしまう可能性もあった。
【００１８】
本発明は上記従来例に鑑みてなされたもので、カメラ部と本体部が着脱可能なシステムにおいて、
カメラ部の挿抜時に必ず押下するロック機構と連動したスイッチを設け、上記ロック機構の押下時にカメラ部と本体部に検出信号が出力される、
本体部が電源ＯＮの状態にあっても、カメラ部が接合されたことを認識すると、自動的にカメラ用のアプリケーションが起動する、
カメラモード時にカメラ部が抜かれると、本体部のアプリケーションが自動的にモード選択画面になる、
カメラモード以外のアプリケーションが実行されている場合においても、カメラ部を分離することが出来る、
事を特徴とする画像処理システムを提供することを目的とする。
【課題を解決するための手段】
【００１９】
上記目的を達成するために本発明の画像処理システムは以下のような構成を備える。即ち、
画像処理部と本体部が分離する構造を備えた画像処理システムにおいて、
画像処理部と本体部の接合手段をもち、
本体部には、キーＳＷやデジタイザ等の機能指示手段をもち、
上記接合手段には、
画像処理部と本体部を接合及び分離する際に、明示的に操作する接合・分離操作手段と、
上記接合・分離手段には、接合・分離手段の操作に同期して、画像処理部と本体部にそれぞれ操作検出信号を出力する検出信号出力手段と、
を有し、
画像処理部が本体部に装着される際に、
検出信号出力手段からの信号により、本体部が動作している状態においても、本体部が自動的に画像処理部用のアプリケーションを起動し、画像処理部との接合信号端子を活性状態に切替えることが出来、
また、本体部と画像処理部を接合して操作している際に、検出信号出力手段からの信号を本体部が検出した場合、本体部のアプリケーションを、モード選択画面に自動的に切替えると同時に、画像処理部との接合信号端子を不活性状態に切替えることが出来、同時に画像処理部は、分離に備え各機能を停止することで、本体部と画像処理部が安全に分離する事が出来る、
ことを特徴とする。
【００２０】
なお、さらに詳細に説明すれば、本発明は下記の構成によって前記課題を解決できた。
【００２１】
（１）画像処理部と本体部が分離する構造を備えた画像処理システムにおいて、画像処理部と本体部を接合及び分離する際に、明示的に操作する接合・分離操作手段と、上記接合・分離操作手段には、接合・分離手段の操作に同期して、画像処理部と本体部にそれぞれ操作検出信号を出力する検出信号出力手段と、を有することを特徴とする画像処理システム。
【００２２】
（２）画像処理部が本体部に装着された際に、上記検出信号出力手段からの信号により、本体部が動作している状態においても、本体部が自動的に画像処理部用のアプリケーションを起動し、画像処理部との接合信号端子を活性状態に切替えることを特徴とする、前記（１）に記載の画像処理システム。
【００２３】
（３）画像処理部が本体部に装着されている際に、上記検出信号出力手段からの信号により、本体部が画像処理部用のアプリケーションで動作している状態においても、本体部のアプリケーションを、モード選択画面に自動的に切替えると同時に、画像処理部との接合信号端子を不活性状態に切替えることを特徴とする、前記（１）に記載の画像処理システム。
【００２４】
（４）画像処理部が本体部に装着されている際に、上記検出信号出力手段からの信号により、画像処理部は分離に備え各機能を停止することで、本体部と画像処理部が安全に分離する事が出来ることを特徴とする、前記（１）に記載の画像処理システム。
【００２５】
（５）本体部には、キーＳＷやデジタイザ等の機能指示手段を持ち、上記画像処理部固有の情報の内容により、本体部は画像処理部に対する機能指示を変更する事が出来る、前記（１）に記載の画像処理システム。
【発明の効果】
【００２６】
本発明によれば、画像処理部と本体部が着脱可能なシステムにおいて、本体部の動作時に、任意のタイミングで画像処理部を接合・分離を行った場合においても、動作が不安定にならないシステムを提供できる。
【００２７】
さらに、画像処理部を動作中の本体部に接合した場合、画像処理部用のアプリケーションが起動し、画像表示までを自動的に実行することが出来るため、小さいキーＳＷの煩雑な操作から逃れることが出来、かつすばやい画像記録を実現することが出来る。
【発明を実施するための最良の形態】
【００２８】
以下、添付図面を参照して本発明の好適な実施の形態を詳細に説明する。
【実施例】
【００２９】
［実施の形態１］
図１は、本発明の一実施の形態に係る分離型の画像処理システムの概略構成を示すブロック図である。
【００３０】
図１において、１００は、本体部と分離されたカメラ部である。１０１は、ＣＣＤ１０２に画像を入力するレンズ群である。１０２は、レンズ群１０１から入力される画像を電気信号に変換するＣＣＤである。１０３は、ＣＣＤ１０２から出力されるアナログ信号を調整し、デジタル信号に変換するＣＤＳ／ＡＧＣ＆ＡＤ、及びＣＣＤ１０２を駆動するためのタイミング信号を出力するタイミングジェネレータからなるＣＣＤコントロール部である。１０４は、ＣＣＤコントロール部を、同期シリアル通信によって制御し、ＣＣＤコントロール部１０３から出力されるデジタル信号を画像データとして生成したり、露出やホワイトバランスをコントロールしたり、ファインダー画像（６４０×４８０ドット）の出力やＣＰＵ１２１からの制御コマンドにより、撮影画像のＪＰＥＧファイルを生成するデジタルカメラ機能ＩＣである。１０５は、デジタルカメラ機能ＩＣ１０４に接続され、ＪＰＥＧ展開や画像サイズ変換等に使われるワークメモリとして使用される、主にＳＤＲＡＭやＳＲＡＭが使用されるカメラ用ワークメモリである。１０６は、デジタルカメラ機能ＩＣ１０４の制御プログラムが格納されているＦｌａｓｈメモリやマスクメモリからなるプログラムメモリである。１０７は、カメラ部１００と本体部１２０を接続する為の、カメラ部１００のカメラ側コネクタである。１０８は、デジタルカメラ機能ＩＣ１０４から出力される、ファインダーデータ（６４０×４８０ドットの画像を１秒間に３０回）を出力するファインダー出力専用バスである。１０９は、デジタルカメラ機能ＩＣ１０４とＣＰＵ１２１が、相互にファイルデータの送受信を行う、カメラ側ファイル転送専用バスである。１１０は、デジタルカメラ機能ＩＣ１０４とＣＰＵ１２１が、制御コマンドの送受信を行う、カメラ側制御コマンド専用バスである。１１１は、本体部とカメラ部を接合・分離を行う際に必ず操作する操作部と、上記操作部に連動したスイッチからなり、接合・分離時にデジタルカメラ機能ＩＣ１０４とＣＰＵ１２１に信号を出力する検出部である。１１２は、検出部１１１から本体部へ出力される、検出信号である。１１３は、本体側コネクタ１３１およびカメラ側コネクタ１０７を経由してカメラ部１００へ供給される、本体部１２０に接続されるバッテリ１２９の電圧で、カメラ部１００への各供給電圧を作成する電源部である。
【００３１】
１２０は、カメラ部と分離された本体部である。１２１は、キーＳＷ１２７からの入力に基づき当該機器をコントロールし、デジタルカメラ機能ＩＣ１０４の制御や、ＴＦＴ液晶表示部１２５への表示データをコントロールするＣＰＵである。このＣＰＵには、いわゆるマイクロプロセッサ以外に、ファインダーデータのＹＣ→ＲＧＢ変換ロジックや、プログラムメモリ１２３やワークメモリ１２２等の外部メモリをコントロールするメモリコントローラ等のロジックを内蔵するいわゆるＳＯＣ（システム・オン・シリコン）といわれるものである。１２２は、メモリバスで接続され、ＣＰＵ１２１の画像展開エリアやワークエリアとして使用される、ＳＲＡＭやＳＤＲＡＭ等からなるワークメモリである。１２３は、メモリバスで接続され、当該機器をコントロールする制御プログラムやフォントデータを格納する、フラッシュメモリやマスクＲＯＭ等からなるプログラムメモリである。１２４は、ＣＰＵ１２１からＲＧＢ信号と同期信号を入力し、ＴＦＴ液晶表示部１２５に画像を表示するための信号を生成・出力する表示制御回路である。１２５は、ＶＧＡサイズのＴＦＴ方式の液晶ディスプレイである。１２７は、シャッターＳＷやモードＳＷなどの各種制御用のＳＷを検出する、キーＳＷである。１２８は、ＣＰＵ１２１と専用バスを経由しコネクタで接続される、ストレージ手段であるところのＣＦカードである。１２９は、本体部１２０に接続される、リチウムイオン電池や単３乾電池などの各種電池やＡＣアダプタからなるバッテリである。１３０は、バッテリ１２９が接続され、本体部１２０及びカメラ部１００の各デバイスに電源を供給する為の電源部である。１３１は、カメラ部１００と本体部１２０を接続する為の、本体部１２０側の本体側コネクタである。１３２は、デジタルカメラ機能ＩＣ１０４から出力されるファインダーデータ１０８を、カメラ側コネクタ１０７及び本体側コネクタ１３１を経由してＣＰＵ１２１に入力する為のファインダー入力専用バスである。１３３は、デジタルカメラ機能ＩＣ１０４とＣＰＵ１２１が、相互にファイルデータの送受信を行う、本体側ファイル転送専用バスである。１３４は、デジタルカメラ機能ＩＣ１０４とＣＰＵ１２１が、制御コマンドの送受信を行う、本体側制御コマンド専用バスである。１３５は、カメラ部１００の検出部１１１から出力される本体側検出信号である。本実施例において、制御コマンドのやり取りにはＵＡＲＴと呼ばれる標準的なシリアル通信方式を使用した場合について説明する。
【００３２】
図２は、本実施例における外形図である。
【００３３】
図２において、２０５は、本体部１２０とカメラ部１００を接合及び分離する際に操作する、操作手段であるところの操作部である。２０６は、操作部２０５の操作に応じて、本体部１２０とカメラ部１００をロックするための、ロック機構である。
【００３４】
図２において、カメラ部１００と本体部１２０を接合する際には、操作部２０５をスライド操作し、ロック機構２０６が作用しない状態にした後に、カメラ側コネクタ１０７と本体側コネクタ１３１が勘合するように、カメラ部１００と本体部１２０を接合し、操作部２０５を再度操作し、ロック機構２０６を作用するような位置にスライドする。
【００３５】
図３は、本実施例におけるカメラ部１００内の検出部１１１の構成を表す図である。
【００３６】
図３において、３０１は、操作部２０５と連動し、ロック機構がロックした状態でＯＦＦ、ロック機構が解除された状態でＯＮになる、検出スイッチである。３０２は、カメラ側検出信号１１２及び本体側検出信号１３５をプルアップする為のプルアップ抵抗である。３０３は、上記各信号に流れる電流を制限する、制限抵抗である。３０４は、検出スイッチ３０１のＯＮ／ＯＦＦに伴うノイズを除去するコンデンサである。３０５は、検出スイッチ３０１のＯＮ／ＯＦＦをカメラ側検出信号１１２に伝える、ヒステリシスつきのバッファである。３０６は、検出スイッチ３０１のＯＮ／ＯＦＦをカメラ側検出信号用コネクタピン３０７に伝える、ヒステリシスつきのバッファである。３０７は、バッファ３０６からの出力を、本体側に伝えるカメラ側検出信号用コネクタピンである。３０８は、電源部１１３で作られる、３．３Ｖの電源電圧である。３０９は、グランドである。３１０は、カメラ側検出信号用コネクタピン３０７と接合する、本体側検出信号用コネクタピンである。３１１は、本体側検出信号１３５をプルアップする、プルアップ抵抗である。３１２は、電源部１３０で作られる、３．３Ｖの電源電圧である。
【００３７】
図３において、操作者が操作部２０５のロック機構をロックした状態、すなわち検出スイッチ３０１がＯＦＦ状態においては、バッファ３０５及び３０６に対して、Ｈレベルの信号が供給されるため、カメラ側検出信号１１２及び本体側検出信号１３５もＨレベルになる。操作者が操作部２０５のロック機構を解除した状態、すなわち検出スイッチ３０１がＯＮの状態においては、バッファ３０５及び３０６に対して、Ｌレベルの信号が供給されるため、カメラ側検出信号１１２及び本体側検出信号１３５もＬレベルになる。また、カメラ部が挿入されていない状態においては、プルアップ抵抗３１１が接続されている為、本体側検出信号１３５は、Ｈレベルになる。
【００３８】
図４は、本実施例におけるカメラ部１００を電源ＯＮ状態の本体部１２０へ接合し、画像撮影及びカメラ部１００分離までを時系列的にあらわしたフローチャートである。
【００３９】
図５は、本実施例における異なるアプリケーション起動時の本体部１２０から、カメラ部１００を分離するまでを時系列的にあらわしたフローチャートである。
【００４０】
図１、図２、図３、図４及び図５を用いて、本実施例におけるカメラ部１００と本体部１２０の接合・分離における各処理とプログラムの流れを説明する。
【００４１】
まず、操作者が電源ＯＮ状態で、かつカメラ以外のアプリケーションを実行中の本体部１２０に、操作部２０５をスライドさせてロック機構を解除した状態のカメラ部１００を装着（４０１）すると、本体側検出信号１３５がＨレベルからＬレベルに変化する。ＣＰＵ１２１は、本体側検出信号１３５の変化を検出し、カメラ部１００が接合されたことを判断すると、ＣＰＵ１２１の、ファインダー入力専用バス１３２用端子・本体側ファイル転送専用バス１３３用端子・本体側制御コマンド専用バス１３４用端子をアクティブな状態に設定（ハイインピーダンス状態から入出力状態へ）するイニシャル処理を実行（４０３）し、カメラ用アプリケーションを起動（４０４）する。カメラ用アプリケーションは、まずカメラ部１００に対し本体側制御コマンド専用バス１３４経由で、カメラ部１００をイニシャルする為の制御コマンドの出力を行い、その後、カメラ部１００から出力される制御コマンドを受け取った後、ファインダー出力を開始するコマンドをカメラ部１００へ出力（４０５）する。ファインダー出力開始コマンドを受けたカメラ部１００は、ファインダー出力専用バス１０８を経由して、本体部１２０に対しファインダーデータを出力する。ファインダーデータを入力された本体部１２０は、液晶表示部１２５にファインダー画像を表示（４０６）し、かつシャッターやモード変更用のキー入力の受付を開始（４０７）する。ＣＰＵ１２１は、常にキー入力を監視（４０７）し、キー入力がない場合、本体側検出信号１３５がＬレベルに変化していないかをチェック（４１３）した後、再びキー入力待ちへ戻る。もし、何らかのキー入力があって、そのキー入力がシャッターＳＷでないと判断（４０８）された場合、そのキー操作に応じたコマンドを、カメラ部１００に対して出力（４０９）する。もし、シャッターＳＷが入力されたと判断された場合、全画素取り込み用のコマンドをカメラ部１００に対して出力（４１０）し、カメラ部１００において作成されるＪＰＥＧ圧縮された画像が、カメラ側ファイル転送専用バス１０９経由で入力されることに備え、ＤＭＡ用の設定を本体側ファイル転送専用バス１３３の設定を行い、ＪＰＥＧ画像の受信を実行（４１１）する。ＣＰＵ１２１は、受け取ったＪＰＥＧ画像に対し、ヘッダーファイルを付加した後、ＣＦカード１２８に格納する。
【００４２】
もし、本体側検出信号１３５がＬレベルに変化したことをＣＰＵ１２１が検出した場合、その場合にはカメラ部１００の操作部２０５のロック機構が解除され、カメラ部１００が分離されるということで、ＣＰＵ１２１は、ファインダー入力専用バス１３２用端子・本体側ファイル転送専用バス１３３用端子・本体側制御コマンド専用バス１３４用端子を非アクティブな状態に設定（入出力状態からハイインピーダンス状態へ）する信号端子処理を実行（４１４）し、動作中のカメラアプリケーションを停止し、アプリケーションを選択するモード選択画面を表示（４１５）させ、電源投入中の分離を可能にする。
【００４３】
もし、本体部１２０とカメラ部１００が接合された状態で電源が投入（５０１）され、本体部のイニシャル処理（５０２）の後、アプリケーションを選択するモード選択画面の表示（５０４）が行われ、キー入力（５０５）によりカメラアプリケーション以外が選択（５０６）され、動作している最中（５１０）でも、キー入力待ち（５０７）と一緒に検出信号１３５の変化を監視（５１２）し、Ｌレベルへの変化を検出した場合には、直ちにＣＰＵ１２１は、ファインダー入力専用バス１３２用端子・本体側ファイル転送専用バス１３３用端子・本体側制御コマンド専用バス１３４用端子を非アクティブな状態に設定（入出力状態からハイインピーダンス状態へ）する信号端子処理を実行（５１３）し、電源投入中の分離を可能にする。
【００４４】
［実施の形態２］
前述の実施の形態１では、検出部１１１内での本体側検出信号１３５作成手段として、検出スイッチ３０１の動作をダイレクトに接続するという方法をとったが、これを、カメラ側検出信号１１２を受けたカメラ制御ＩＣ１０４が、カメラ制御ＩＣ１０４のポートから本体側検出信号１３５となる信号を出力するという構成に代えることによっても、同様の効果を得ることが出来る。
【００４５】
図６は、本発明の実施の形態２に係るカメラ部１００およびカメラ部１００内の検出部１１１と、本体部１２０とを表したブロック図である。
【００４６】
図６において、６０１は、カメラ制御ＩＣ１００から出力される、本体用検出信号である。
【００４７】
上述したように、ダイレクトな接続から、カメラ側検出信号１１２のＨレベルからＬレベルへの変化を検出したカメラ制御ＩＣ１０４が、上記変化に合わせて出力する本体用検出信号６０１を、本体側検出信号１３５に接続することによって、第１の実施例に対し、バッファを１つ削減することが可能になる。
【００４８】
［実施の形態３］
前述の実施の形態１および２では、レンズ部を交換できるデジタルカメラシステムの場合について説明したが、制御コマンド、ファインダーデータ、ファイル転送それぞれの専用バスを持っていれば、カメラ部以外のモジュールも接続することが出来、さらにダイレクトな接合・分離が可能になる。
【００４９】
図７は、本発明の実施の形態３に係るビデオ信号処理部と本体部とを表したブロック図である。
【００５０】
図７において、７００は、ＮＴＳＣビデオ信号をデジタル画像本体部に供給し、ＮＴＳＣビデオ信号を本体部１２０のＴＦＴ液晶表示部１２５に表示させたり、本体部１２０側でビデオ画像をデジタル画像として保存させることが出来る、ビデオ信号処理部である。７０１は、ＮＴＳＣ入力コネクタである。７０２は、音声入力コネクタである。７０３は、ＮＴＳＣ入力コネクタ７０１から入力されるアナログのＮＴＳＣ信号を、デジタルデータに変換し、ＣＣＩＲ−６０１の形式に準拠した表示データ２０４出力と同じ形式でビデオデータを出力出来るＮＴＳＣデコーダ部である。７０４は、音声入力コネクタ７０２から入力される音声データをＡＤＰＣＭ等のデジタルデータとして記録したり、ビデオ側制御コマンド専用バス７０７から入力される制御コマンドに基づいてＮＴＳＣデコーダ部７０３をコントロールするＲＯＭ・ＲＡＭ内蔵の１ＣｈｉｐＣＰＵである。７０５は、ＮＴＳＣデコーダ部７０３から出力されるファインダーデータを本体部に出力する為の、ファインダー出力専用バスである。７０６は、１ＣｈｉｐＣＰＵ７０４からＣＰＵ１２１に対し、音声データを出力するビデオ側ファイル転送専用バスである。７０７は、１ＣｈｉｐＣＰＵ７０４とＣＰＵ１２１が、制御コマンドの送受信を行う、ビデオ側制御コマンド専用バスである。７０８は、ビデオ側コネクタである。７１０は、本体側コネクタ１３１およびビデオ側コネクタ７０８を経由してビデオ部７００へ供給される、本体部１２０に接続されるバッテリ１２９の電圧で、ビデオ部７００への各供給電圧を作成する電源部である。７１１は、本体部とビデオ部を接合・分離を行う際に必ず操作する操作部と、上記操作部に連動したスイッチからなり、接合・分離時に１ＣｈｉｐＣＰＵ７０４とＣＰＵ１２１に信号を出力する検出部である。
【００５１】
ビデオ部７００を、本体部１２０に装着すると、まず、ビデオ部７００の１ＣｈｉｐＣＰＵ７０４は、ビデオ信号処理用モジュールであるという情報を本体部１２０に対して出力する。ビデオ信号処理用モジュールであるという情報を受けた本体部は、ビデオ表示というアプリケーションが選択された際に、本体側制御コマンド専用バス１３４を通して、ビデオ部の１ＣｈｉｐＣＰＵ７０４に対し、ビデオデータの出力を指示する。指示を受けた１ＣｈｉｐＣＰＵ７０４は、ＮＴＳＣデコーダ部７０３に対しビデオデータの出力を指示し、ファインダー出力専用バス７０５を通してビデオデータを出力させると共に、音声入力コネクタ７０２から入力される音声データをデジタルデータとして、ビデオ側ファイル転送専用バス７０６を通して本体部１２０に出力する。
【００５２】
ビデオ表示用アプリケーションの起動中に録画開始キーが押下された場合、本体部１２０は、ファインダー出力専用バス７０５から出力されるファインダーデータを、ＭＰＥＧ方式で記録開始し、ＭＰＥＧ圧縮された画像データは、逐次ＣＦカード１２８に書き込まれる。
【００５３】
図８は、実施の形態３におけるビデオ部７００を電源ＯＮ状態の本体部１２０へ接合し、録画開始及びビデオ部７００分離までを時系列的にあらわしたフローチャートである。
【００５４】
図７及び図８を用いて、実施の形態３における実施例について説明する。
【００５５】
まず、操作者が電源ＯＮ状態で、かつビデオ以外のアプリケーションを実行中の本体部１２０に、操作部をスライドさせてロック機構を解除した状態のビデオ部７００を装着（８０１）すると、本体側検出信号１３５がＨレベルからＬレベルに変化する。ＣＰＵ１２１は、本体側検出信号１３５の変化を検出し、ビデオ部７００が接合されたことを判断すると、ＣＰＵ１２１の、ファインダー入力専用バス１３２用端子・本体側ファイル転送専用バス１３３用端子・本体側制御コマンド専用バス１３４用端子をアクティブな状態に設定（ハイインピーダンス状態から入出力状態へ）するイニシャル処理を実行（８０３）し、ビデオ用アプリケーションを起動（８０４）する。ビデオ用アプリケーションは、まずビデオ部７００に対し本体側制御コマンド専用バス１３４経由で、ビデオ部７００をイニシャルする為の制御コマンドの出力を行い、その後、ビデオ部７００から出力される制御コマンドを受け取った後、ファインダー出力を開始するコマンドをビデオ部７００へ出力（８０５）する。ファインダー出力開始コマンドを受けたビデオ部７００は、ファインダー出力専用バス１０８を経由して、本体部１２０に対しファインダーデータを出力する。ファインダーデータを入力された本体部１２０は、液晶表示部１２５にファインダー画像を表示（８０６）し、かつシャッターやモード変更用のキー入力の受付を開始（８０７）する。ＣＰＵ１２１は、常にキー入力を監視（８０７）し、キー入力がない場合、本体側検出信号１３５がＬレベルに変化していないかをチェック（８１３）した後、再びキー入力待ちへ戻る。もし、何らかのキー入力があって、そのキー入力が録画開始キーでないと判断（８０８）された場合、そのキー操作に応じたコマンドを、ビデオ部７００に対して出力（８０９）する。もし、録画開始キーが入力されたと判断された場合、ファインダー画像のＭＰＥＧ録画を開始（８１０）する。この動作（８１０）は、録画停止キーが押下される（８１１）まで継続される。
【００５６】
もし、本体側検出信号１３５がＬレベルに変化したことをＣＰＵ１２１が検出した場合、その場合にはビデオ部７００の操作部のロック機構が解除され、ビデオ部７００が分離されるということで、ＣＰＵ１２１は、ファインダー入力専用バス１３２用端子・本体側ファイル転送専用バス１３３用端子・本体側制御コマンド専用バス１３４用端子を非アクティブな状態に設定（入出力状態からハイインピーダンス状態へ）する信号端子処理を実行（８１４）し、動作中のビデオアプリケーションを停止し、アプリケーションを選択するモード選択画面を表示（８１５）させ、電源投入中の分離を可能にする。
【図面の簡単な説明】
【００５７】
【図１】本発明の実施の形態１に係る画像処理システムの構成を示すブロック図である。
【図２】本実施の形態１に係る画像処理システムにおけるカメラ部外系図である。
【図３】本実施の形態１に係る画像処理システムにおける検出部の構成を示すブロック図である。
【図４】本実施の形態１に係る画像処理システムにおける処理の流れを時系列的にあらわしたフローチャートである。
【図５】本実施の形態１に係る画像処理システムにおける処理の流れを時系列的にあらわしたフローチャートである。
【図６】本発明の実施の形態２に係る画像処理システムにおける検出部の構成を示すブロック図である。
【図７】本発明の実施の形態３に係る画像処理システムにおけるブロック図である。
【図８】本発明の実施の形態３に係る画像処理システムにおける処理の流れを時系列的にあらわしたフローチャートである。
【図９】従来のデジタルカメラ装置の構成を示すブロック図である。
【符号の説明】
【００５８】
１００  カメラ部
１０１  レンズ群
１０２  ＣＣＤ
１０３  ＣＣＤコントロール部
１０４  デジタルカメラ機能ＩＣ
１０５  カメラ用ワークメモリ
１０６  プログラムメモリ
１０７  カメラ側コネクタ
１０８  ファインダー出力専用バス
１０９  カメラ側ファイル転送専用バス
１１０  カメラ側制御コマンド専用バス
１１１  検出部
１１２  検出信号
１１３  電源部
１２０  本体部
１２１  ＣＰＵ
１２２  ワークメモリ
１２３  プログラムメモリ
１２４  表示制御回路
１２５  液晶ディスプレイ
１２７  キーＳＷ
１２８  ＣＦカード
１２９  バッテリ
１３０  電源部
１３１  本体側コネクタ
１３２  ファインダー入力専用バス
１３３  本体側ファイル転送専用バス
１３４  本体側制御コマンド専用バス
１３５  本体側検出信号
２０５  操作部
３０１  検出スイッチ
３０２  プルアップ抵抗
３０３  制限抵抗
３０４  コンデンサ
３０５  バッファ
３０６  バッファ
３０７  カメラ側検出信号用コネクタピン
３０８  電源電圧
３０９  グランド
３１０  本体側検出信号用コネクタピン
３１１  プルアップ抵抗
３１２  電源電圧
７００  ビデオ信号処理部
７０１  ＮＴＳＣ入力コネクタ
７０２  音声入力コネクタ
７０３  ＮＴＳＣデコーダ部
７０４  １ＣｈｉｐＣＰＵ
７０５  ファインダー出力専用バス
７０６  ビデオ側ファイル転送専用バス
７０７  ビデオ側制御コマンド専用バス
７０８  ビデオ側コネクタ
７１０  電源部
７１１  検出部
【図１】
2005252798.tif 000003
【図２】
2005252798.tif 000004
【図３】
2005252798.tif 000005
【図４】
2005252798.tif 000006
【図５】
2005252798.tif 000007
【図６】
2005252798.tif 000008
【図７】
2005252798.tif 000009
【図８】
2005252798.tif 000010
【図９】
2005252798.tif 000011